(57)【要約】【課題】フィルターがフィルターケースから容易に抜けてしまわないようにして、洗濯中にフィルターを外そうとした時の水漏れを防止する。【解決手段】フィルターケース２５の円筒部２６の内壁の対向する位置に軸方向にずらせて設けられた第１の突起３１及び第２の突起３２と、キャップ２２の外周に設けられた、第１の突起が摺動する第１の溝３３及び第２の突起が摺動する第２の溝３４と、第１の突起３１が通過するために第１の溝３３及び第２の溝３４に設けられた第１の切り欠き３５と、第２の突起３２が通過するために第１の切り欠き３５に対向する側の第２の溝３４のみに設けられた第２の切り欠き３６とを有し、第１の突起３１は軸方向において第２の突起３２より手前側に設けられるとともに回転方向に短く構成され、第１の切り欠き３５の回転方向の長さは第２の突起３２の回転方向の長さより短く構成され、一捻りの動作でフィルターが外れないようにする。【選択図】図５
2015053948.tif 000002
【特許請求の範囲】
【請求項１】
洗濯液が流れる経路内に設置されて糸屑等を捕獲するフィルターと、前記フィルターを回転方向及び軸方向に操作可能なつまみを有するキャップと、前記フィルターと前記キャップを収納する円筒部を有するフィルターケースと、前記フィルターと前記フィルターケースとの間を水封するパッキンとを備え、前記フィルターケースの円筒部の内壁の対向する位置に軸方向にずらせて設けられた第１の突起及び第２の突起と、前記キャップの外周に設けられた、前記第１の突起が摺動する第１の溝及び前記第２の突起が摺動する第２の溝と、前記フィルターが前記フィルターケースに挿入される時に、前記第１の突起が通過するために前記第１の溝及び前記第２の溝に設けられた第１の切り欠きと、前記第２の突起が通過するために前記第１の切り欠きに対向する側の前記第２の溝のみに設けられた第２の切り欠きとを有し、前記第１の突起は前記軸方向において前記第２の突起より手前側に設けられるとともに前記第２の突起より回転方向に短く構成され、前記第１の切り欠きの回転方向の長さは前記第２の突起の回転方向の長さより短く構成され、前記キャップが前記フィルターケースに収納される出し入れ時の位置から閉時の位置までの操作角度が１８０°以上に構成された洗濯機。
【請求項２】
前記キャップの回転を止める止め部を有し、操作角度が１８０°以上３６０°未満となるように構成された請求項１に記載の洗濯機。
【請求項３】
前記第１の突起は前記第２の突起より前記軸方向に厚く形成されるとともに、前記２つの溝の幅は前記２つの突起の厚みよりそれぞれわずかに大きい寸法に形成された請求項１又は２に記載の洗濯機。
【発明の詳細な説明】
【技術分野】
【０００１】
本発明は、洗濯液に含まれる糸屑や異物を捕獲するフィルターを備えた洗濯機に関するものである。
【背景技術】
【０００２】
洗濯をすると、衣類から発生した糸屑やゴミなどの異物が洗濯液の中に混ざり、そのまま排水すると家屋の排水管路を詰まらす原因となる。そのためこの糸屑などを捕獲する排水フィルター装置を有する洗濯機が従来から提案されてきた（例えば、特許文献１参照）。
【０００３】
図７は従来の洗濯機のフィルター装置を装着した時の断面図で、図８（ａ）〜（ｄ）は同洗濯機のフィルター装置のキャップ装着状態の動作を示す平面図である。図７に示すように、本体１の前面下部にフィルター体１１を収納するフィルターケース１４が設置され、排水経路内の糸屑などを捕獲する。使用者は、つまみ９が図８（ａ）の方向でフィルター体１１をフィルターケース１４内に挿入した後、時計回りに回転させて図８（ｄ）の位置でフィルター体１１が完全に収納される閉状態となる。この閉状態では、Ｏリング１８でフィルター体１１とフィルターケース１４との間が水封されるとともに、フィルター体１１に設けられた磁性体１５がフィルターケース１４に設けられたリードスイッチ１６に近付いてリードスイッチ１６がＯＮ動作して洗濯機の運転開始が可能な状態となる。
【０００４】
フィルター体１１の操作角度、つまりフィルター体１１をフィルターケース１４に挿入してから閉状態までの回転角度は、使い易さを考慮して９０°程度に小さく設定されている。
【先行技術文献】
【特許文献】
【０００５】
【特許文献１】特開２００９−５６２６３号公報
【発明の概要】
【発明が解決しようとする課題】
【０００６】
従来は、フィルター体の操作角度は使い易さを考慮して９０°程度に小さく設定されているが、逆に使用者が、排水経路が洗濯水で満たされた洗濯中に間違えてフィルター体を外そうとした場合、一捻りの動作でフィルター体がフィルターケースから抜けてしまう可能性がある。つまり、フィルター体が挿入できる状態では当然リードスイッチがＯＦＦ動作して洗濯機は運転停止状態にはなっているが、引き抜かれてしまうと機外への水漏れを防ぐことはできないという課題がある。
【０００７】
また、冬場など水温が低い時は洗剤の汚れを落とす効果が低下するので、洗浄性能を向上させるために洗濯液を６０℃程度の高温に加熱して洗浄する温水加熱機能が設けられた洗濯機がある。このような洗濯機において、使用者が、排水経路が洗濯液で満たされた洗濯中に間違えてフィルター体を外そうとした場合、一捻りの動作でフィルター体がフィルターケースから抜けてしまう可能性がある操作角度だと、フィルター体がフィルターケースから容易に抜けてしまい、高温の洗濯液が飛び出して使用者に掛かってしまう可能性がある。
【０００８】
本発明の目的は、排水経路が洗濯液で満たされた洗濯中に間違えてフィルター体を外そうとされても、フィルター体がフィルターケースから容易に抜けてしまわないようにして
水漏れを防止することができる洗濯機を提供することにある。
【課題を解決するための手段】
【０００９】
前記従来の課題を解決するために、本発明の洗濯機は、洗濯液が流れる経路内に設置されて糸屑等を捕獲するフィルターと、前記フィルターを回転方向及び軸方向に操作可能なつまみを有するキャップと、前記フィルターと前記キャップを収納する円筒部を有するフィルターケースと、前記フィルターと前記フィルターケースとの間を水封するパッキンとを備え、前記フィルターケースの円筒部の内壁の対向する位置に軸方向にずらせて設けられた第１の突起及び第２の突起と、前記キャップの外周に設けられた、前記第１の突起が摺動する第１の溝及び前記第２の突起が摺動する第２の溝と、前記フィルターが前記フィルターケースに挿入される時に、前記第１の突起が通過するために前記第１の溝及び前記第２の溝に設けられた第１の切り欠きと、前記第２の突起が通過するために前記第１の切り欠きに対向する側の前記第２の溝のみに設けられた第２の切り欠きとを有し、前記第１の突起は前記軸方向において前記第２の突起より手前側に設けられるとともに回転方向に短く構成され、前記第１の切り欠きの回転方向の長さは前記第２の突起の回転方向の長さより短く構成され、前記キャップが前記フィルターケースに収納される出し入れ時の位置から閉時の位置までの操作角度が１８０°以上に構成されたものである。
【００１０】
以上の構成により、使用者が、排水経路が洗濯水で満たされた洗濯中に間違えてフィルターを外そうとした場合でも、一捻りの動作ではフィルターがフィルターケースから抜けず、さらにもう一度捻り動作を入れないとフィルターケースから抜けることはないので、フィルターがフィルターケースから容易に抜けてしまわないようにして水漏れを防止することができる。さらに、操作角度が１８０°以上となる構成としても、フィルターケースの手前側の第１の突起が短いため、キャップの１８０°逆挿入の防止が図れる。また、フィルターケースの手前側の第１の突起が厚いため、キャップが手前側にずれた状態での誤挿入防止が図れ、フィルターの使い勝手が向上する。
【発明の効果】
【００１１】
本発明の洗濯機は、フィルターがフィルターケースから容易に抜けてしまわないようにして、排水経路が洗濯水で満たされた洗濯中に間違えてフィルターを外そうとした時の水漏れ防止を図ることができる。
【図面の簡単な説明】
【００１２】
【図１】本発明の実施の形態１に係る洗濯乾燥機の斜視図
【図２】同洗濯乾燥機の側面断面図
【図３】（ａ）同洗濯乾燥機の排水制御ユニットの平面図、（ｂ）（ａ）のＡ−Ａ断面図
【図４】（ａ）、（ｂ）同洗濯乾燥機の排水制御ユニットのつまみの操作角度を表わす正面図
【図５】（ａ）同洗濯乾燥機の排水制御ユニットのキャップ挿入位置の溝と突起の位置関係を表す（Ｂ矢視）部分透視図、（ｂ）同（Ｃ矢視）部分透視図
【図６】（ａ）同洗濯乾燥機の排水制御ユニットのキャップ閉位置の溝と突起の位置関係を表す（Ｄ矢視）部分透視図、（ｂ）同（Ｅ矢視）部分透視図
【図７】従来の洗濯機のフィルター装置を装着した時の断面図
【図８】（ａ）〜（ｄ）同洗濯機のフィルター装置のキャップ装着状態の動作を示す平面図
【発明を実施するための形態】
【００１３】
第１の発明の洗濯機は、洗濯液が流れる経路内に設置されて糸屑等を捕獲するフィルターと、前記フィルターを回転方向及び軸方向に操作可能なつまみを有するキャップと、前
記フィルターと前記キャップを収納する円筒部を有するフィルターケースと、前記フィルターと前記フィルターケースとの間を水封するパッキンとを備え、前記フィルターケースの円筒部の内壁の対向する位置に軸方向にずらせて設けられた第１の突起及び第２の突起と、前記キャップの外周に設けられた、前記第１の突起が摺動する第１の溝及び前記第２の突起が摺動する第２の溝と、前記フィルターが前記フィルターケースに挿入される時に、前記第１の突起が通過するために前記第１の溝及び前記第２の溝に設けられた第１の切り欠きと、前記第２の突起が通過するために前記第１の切り欠きに対向する側の前記第２の溝のみに設けられた第２の切り欠きとを有し、前記第１の突起は前記軸方向において前記第２の突起より手前側に設けられるとともに回転方向に短く構成され、前記第１の切り欠きの回転方向の長さは前記第２の突起の回転方向の長さより短く構成され、前記キャップが前記フィルターケースに収納される出し入れ時の位置から閉時の位置までの操作角度が１８０°以上に構成されたものである。
【００１４】
以上の構成により、使用者が、排水経路が洗濯水で満たされた洗濯中に間違えてフィルターを外そうとした場合でも、一捻りの動作ではフィルターがフィルターケースから抜けず、さらにもう一度捻り動作を入れないとフィルターケースから抜けることはないので、フィルターがフィルターケースから容易に抜けてしまわないようにして水漏れを防止することができる。さらに、操作角度が１８０°以上となる構成としても、フィルターケースの手前側の第１の突起が短いため、キャップの１８０°逆挿入の防止が図れる。また、フィルターケースの手前側の第１の突起が厚いため、キャップが手前側にずれた状態での誤挿入防止が図れ、フィルターの使い勝手が向上する。
【００１５】
第２の発明は、第１の発明において、前記キャップの回転を止める止め部を有し、操作角度が１８０°以上３６０°未満となるように構成されたものである。これにより、一捻りの動作で回転する角度は一般に１８０°より少ないので、開方向に一捻りしても突起と溝との係合が保たれたままにできる。従って、パッキンによって水封が保たれたまま、洗濯液が機外に漏れることが防止される。
【００１６】
第３の発明は、第１又は第２の発明において、前記第１の突起は前記第２の突起より前記軸方向に厚く形成されるとともに、前記２つの溝の幅は前記２つの突起の厚みよりそれぞれわずかに大きい寸法に形成されたものである。これにより、フィルターが手前にずれてセットされても、第１の突起が第２の溝に入らず、中途半端な挿入状態からは回転できないので、使用者は誤挿入であることを容易に認知することができる。
【００１７】
以下、本発明の実施の形態について、図面を参照しながら説明する。なお、この実施の形態によって本発明が限定されるものではない。
【００１８】
（実施の形態１）
以下、図面を参照しつつ、本発明の実施の形態１について説明する。以下の説明において、洗濯乾燥機が洗濯機として例示されるが、洗濯機は、乾燥機能を備えない洗濯機であってもよい。尚、以下の説明で用いられる「上」、「下」、「左」や「右」などの方向を表す用語は、単に、説明の明瞭化を目的とするものであり、何ら本発明を限定するものではない。また、洗濯機は、洗剤が含まれた洗剤液や、すすぎのためのすすぎ液を使用するが、これらの液体を総称して洗濯液と称する。
【００１９】
図１は、本発明の実施の形態１に係る洗濯乾燥機の斜視図である。洗濯乾燥機１００は、筐体２００と、扉体３００とを備える。筐体２００は、略直方体形状に形成される。筐体２００は、上下方向に立設された正面壁２１０、正面壁２１０と反対側の背面壁２２０、正面壁２１０と背面壁２２０との間に配設されるとともに上下方向に立設される左側壁２３０及び右側壁２４０、筐体２００の上面を形成する天壁２５０並びに筐体２００の下
面を形成する底壁２６０を含む。
【００２０】
洗濯乾燥機１００は、扉体３００を筐体２００に回動可能に接続する蝶番構造４００を備える。蝶番構造４００によって、扉体３００は、開口部２１５を閉塞する閉塞位置と、開口部２１５を開放する開放位置との間で回動することができる。
【００２１】
図２は、閉塞位置にある扉体３００を有する洗濯乾燥機１００の概略的な側面断面図である。筐体２００の内部には、洗濯乾燥槽１１０が配設される。洗濯乾燥槽１１０は、筐体２００の内部で揺動自在に支持される一端有底円筒状の水槽１１１と、水槽１１１内で回転自在に支持される一端有底円筒状の回転ドラム１１２とを含む。筐体２００の内部には、回転ドラム１１２を回転させるモータ１１３が配設される。モータ１１３は、水槽１１１の底部外面に取り付けられる。水槽１１１の開口部は、閉塞位置に存する扉体３００に向けて突出する略円筒形状の筒口部１１４によって形成される。筒口部１１４に略円筒形状のシール部材１１５が嵌合される。
【００２２】
水槽１１１には、洗濯液を排出するための排出口１１６と、洗濯液が流入する流入口１１７が形成される。洗濯に用いられる洗濯液は、排出口１１６及び流入口１１７との間で循環して使用される。筐体２００の内部には更に、水槽１１１内へ給水する給水システム１２０、水槽１１１内の洗濯液を排水或いは循環させる排水システム１３０及び洗濯物を乾燥させるための温風を洗濯乾燥槽１１０に送り込む乾燥システム１４０が収容される。尚、乾燥機能を備えない洗濯機である場合には、乾燥システム１４０は必要とされない。
【００２３】
乾燥システム１４０は、水槽１１１の排気口１４１と接続する一端部と、水槽１１１の底部から乾燥用空気を送り込むための通気口とを備える循環管路１４２と、循環管路１４２の内部に配設されるとともに循環管路１４２内で空気を流動させる送風機１４３とを含む。乾燥システム１４０は、必要に応じて、糸屑類を捕集するとともに除塵するフィルター、除塵後の導入空気を除湿する除湿部、除塵後の空気を加熱するとともに乾燥した高温空気を作り出す加熱部とを含んでもよい。
【００２４】
図１及び図２に示されるように、洗濯乾燥機１００は、上部壁２１３に配設される操作パネル５００を備える。操作パネル５００は、使用者が洗濯乾燥機１００の運転コースのモードや各種機能を選択することを可能にする。図２に示されるように、操作パネル５００は、制御回路部５１０を含む。制御回路部５１０は、使用者が入力した情報を操作パネル５００が備える表示部に表示する。また、操作パネル５００を通じて、洗濯乾燥機１００の運転開始が設定されると、例えば、水槽１１１内の液位を検知する液位センサ、洗濯液の濁度を検知する濁度センサとして用いられる光センサ１３１や洗濯液の導電度を検知する導電センサとして用いられる電極センサ１３２から検知信号を受信し、これら検知信号に基づき、給水システム１２０に含まれる電磁弁や排水システム１３０に含まれる排水弁１３３などに対する制御を実行する。モータ１１３、給水システム１２０、排水システム１３０及び乾燥システム１４０は、制御回路部５１０によって、モード設定や制御プログラムに従い、自動制御され、洗い工程、すすぎ工程、脱水工程及び乾燥工程を実行することができる。
【００２５】
給水システム１２０は、水槽１１１に接続される給水管路１２１と、洗剤を収容する洗剤収容部１２２とを含む。図１に示されるように、筐体２００の天壁２５０には、洗剤収容部１２２を閉塞するカバー２５１が取り付けられる。図２に示される給水システム１２０は、電磁弁の開閉動作により、給水管路１２１を介して水槽１１１に適時に給水することができる（図２中、実線矢印を参照）。また、洗濯乾燥機１００は、給水システム１２０の給水を利用して、給水管路１２１を部分的に横切って配設される洗剤収容部１２２内の洗剤を水槽１１１内に適時に投入することができる。
【００２６】
排水システム１３０は、水槽１１１の排出口１１６に接続される一端部を備える第１管路１３４と、第１管路１３４の他端部に接続されるとともに水槽１１１からの洗濯液を受ける排水制御ユニット１３５と、排水制御ユニット１３５が備える循環ポンプ１３６と水槽１１１との間で延びる第２管路１３７とを含む。循環ポンプ１３６は、筐体２００内に配設された台板１３８に固定されている。第２管路１３７の一端部は、循環ポンプ１３６の吐出口と接続され、第２管路１３７の他端部は、水槽１１１の流入口１１７に接続される。水槽１１１、第１管路１３４、排水制御ユニット１３５及び第２管路１３７は、洗濯液の循環経路を形成する。循環ポンプ１３６は、循環経路内で洗濯液を排出口１１６から流入口１１７に向けて循環させる。
【００２７】
排水制御ユニット１３５は、循環ポンプ１３６に加えて、洗濯液の濁度を検知する濁度センサとして用いられる光センサ１３１、洗濯液の導電度を検知する導電センサとして用いられる電極センサ１３２、洗濯液を外部に排水するための排水管路１３９、排水管路１３９の途中部に配設されるとともに排水管路１３９を開閉させる排水弁１３３及び第１管路１３４から流入する洗濯液に含まれるリント（糸くずなど）を捕集するフィルター２１を含む。
【００２８】
排水弁１３３は、洗い工程終了時やすすぎ工程終了時など必要に応じて開く。この結果、第１管路１３４から排水制御ユニット１３５に流入した洗濯水は、フィルター２１を通じてリントの除去処理を施された後、外部に排出される。第１管路１３４、排水制御ユニット１３５及び排水管路１３９は、洗濯液の排水経路を形成する。フィルター２１は、循環例路と排水経路のいずれにも設けられており、要は洗濯液が流れる経路に設置される。
【００２９】
次に、排水制御ユニット１３５のフィルター２１について詳細に説明する。図３（ａ）は、本発明の実施の形態１に係るドラム式洗濯機の排水制御ユニットの要部平面図である。図３（ｂ）は、図３（ａ）のＡ−Ａ断面図である。図３（ｂ）に示されるように、排水制御ユニット１３５の内部にフィルター２１が設置される。フィルター２１は多数の格子穴２１ａを有し、洗濯液に含まれる糸屑や異物を捕獲し、家屋の排水管の詰まりを防止する。キャップ２２は勘合部２３でフィルター２１と回転可能に取り付けられ、前方にはこのフィルター２１を回転方向及び軸方向に操作可能なつまみ２４を有する。フィルターケース２５は、フィルター２１及びキャップ２２を収納する円筒部２６と、排水管路１３９を有する。排水管路１３９は、第１管路１３４に接続される排水入口２８と、機外排水ホース（図示せず）に接続される排水出口２９の間で構成され、その一部にフィルター２１と排水弁１３３が配置されている。フィルター２１にはパッキン３０が取り付けられる。パッキン３０は、フィルター２１とフィルターケース２５との間を水封し、洗濯液が機外に漏れないようにしている。
【００３０】
図４（ａ）及び図４（ｂ）は、本発明の実施の形態１に係る洗濯乾燥機の排水制御ユニットのつまみの操作角度を表わす正面図である。図４（ａ）は、つまみ２４を持ってフィルター２１が排水制御ユニット１３５に出し入れされることが可能な出し入れ時の状態を示す。図４（ｂ）は、つまみ２４が閉めこまれてフィルター２１が排水制御ユニット１３５内に水封された閉時の状態を示す。図５（ａ）、（ｂ）及び図６（ａ）、（ｂ）は、同洗濯乾燥機の排水制御ユニットのキャップ挿入位置の溝と突起の位置関係を表す部分透視図で、図５（ａ）、（ｂ）は出し入れ時、図６（ａ）、（ｂ）は閉時を示す。それぞれ、円筒部２６を透視してキャップ２２の溝３３、３４と円筒部２６の突起３１、３２の位置関係を示すもので、図５（ａ）はＢ矢視図、図５（ｂ）はＣ矢視図、図６（ａ）はＤ矢視図、図６（ｂ）はＥ矢視図である。
【００３１】
図４〜図６に示されるように、フィルターケース２５の円筒部２６の内壁には、対向す
る２ヶ所の突起が円筒の軸方向にずらせて設けられる。軸方向において手前側のものを第１の突起３１、奥側のものを第２の突起３２とすると、第１の突起３１の軸方向の厚みＤａは、第２の突起３２の厚みＤｂより厚く形成され、すなわちＤａ＞Ｄｂである。また、第１の突起３１の回転方向の長さＷａは、第２の突起３２の回転方向の長さＷｂより短く形成され、すなわちＷａ＜Ｗｂである。
【００３２】
キャップ２２の外周には第１の突起３１が摺動する第１の溝３３、及び第２の突起３２が摺動する第２の溝３４が設けられる。第１の溝３３の幅をＴａ、第２の溝３４の幅をＴｂとすると、溝の幅は突起の厚みよりδだけわずかに大きい寸法に形成され、すなわちＴａ＝Ｄａ＋δ及びＴｂ＝Ｄｂ＋δである。第１の溝３３及び第２の溝３４には、フィルター２１がフィルターケース２５に挿入される時に第１の突起３１が通過するための第１の切り欠き３５が設けられる。そして、第１の切り欠き３５に対向する側の第２の溝３４のみには、第２の突起３２が通過するための第２の切り欠き３６が設けられる。この第２の切り欠き３６は、第１の溝３３は通過しないため第２の溝３４のみにある。第１の切り欠き３５の回転方向の長さＬａは第１の突起３１の回転方向の長さＷａより少し長いが、第２の突起３２の回転方向の長さＷｂより短い。また、第２の切り欠き３６の回転方向の長さＬｂは第２の突起３２の回転方向の長さＷｂより少し長い。すなわち、Ｗｂ＞Ｌａ＞Ｗａであり、Ｌｂ＞Ｗｂである。
【００３３】
なお、第１の突起３１と第２の突起３２とを対向する２ヶ所の突起としているが、ここでの対向とは、１８０°向かい合うことに限定するものではなく、突起や切り欠きのそれぞれの回転方向の長さの設定によって、本発明の作用効果を達成する範囲でずれる可能性も含まれる。
【００３４】
フィルター２１は洗濯乾燥機１００の前面下部に配置され、パネル３７を開けると図４に示すようなつまみ２４が現れる。使用者がフィルター２１をフィルターケース２５内に挿入する時は、つまみ２４を掴んで円筒部２６内に押し込む。この時、図４（ａ）の位置に合わせて押し込むと、第１の突起３１が第１の切り欠き３５を通過するとともに、第２の突起３２が第２の切り欠き３６を通過して、パッキン３０がフィルターケース２５に当接する位置まで挿入される。その後、時計回りに捻ると、フィルター２１はパッキン３０の反発を受けて動かないが、キャップ２２が回転して、第１の突起３１が第１の溝３３を摺動し、第２の突起３２が第２の溝３４を摺動する。この第１の突起３１と第２の突起３２とは、フィルター２１の軸方向にずらせて対向する位置に設けられているため、これに対応する第１の溝３３と第２の溝３４は１８０°以上の回転角度の範囲でも構成できる。本実施の形態１では、出し入れ時の位置からの時計回りの回転角度をθとすると、閉時の位置までの回転角度θ＝２４０°で第１の突起３１が止め部３８に当接し、第２の突起３２が止め部３９に当接する構成とされる。
【００３５】
上記の通り構成された排水制御ユニット１３５について、溝が切り欠きを通過する位置を「出し入れ時の位置」、突起が止め部に当接する位置を「閉時の位置」、出し入れ時の位置から閉時の位置までの回転角度を「操作角度」と称する事にして、キャップ２２の動作の詳細を説明する。
【００３６】
２つの突起はそれぞれ溝を２４０°に渡って摺動するが、２つの溝の幅はそれぞれ突起の厚みよりδだけ大きく形成されているため、キャップ２２はスムーズに回転する。操作角度は２４０°であるが、回転角度θ＝４０°程度で第１の突起３１が第１の溝３３に係合した状態になり、この時点で既に、パッキン３０がフィルター２１とフィルターケース２５との間を水封する状態となる。なお、対向位置にある第２の突起３２についても同様に第２の溝３４に係合しており、安定した水封が保たれる。さらに回転すると、回転角度θ＝２３０°近傍でリードスイッチ（図示せず）がＯＮ動作して洗濯乾燥機１００の運転
開始が可能な状態となる。なお、リードスイッチの構成については特許文献１に記載された従来技術と同じであり、特に図示、説明は省く。そして、例えばフィルターケース２５の前面に閉時の位置に合わせた目印などが設けられていれば、使用者はキャップ２２を閉時の位置まで確実に回転させ、フィルター２１は確実に水封されて運転開始ができる位置にセットされる。
【００３７】
ここで、操作角度が１８０°以上あるということは、フィルター２１を挿入するときに、１８０°逆にセットされる可能性が高まる。逆にセットされると、リードスイッチと磁性体の位置関係がずれて、閉時の位置まで回転してもリードスイッチがＯＮ動作せず、運転開始ができなくなる。しかし、第１の突起３１の回転方向の長さＷａが短く、対向する位置の第２の突起３２の回転方向の長さＷｂが長く設定され、それに対応する第１の切り欠き３５の長さＬａが短く、第２の切り欠き３６の長さが長く、かつＬａ＜Ｗｂと設定されているので、逆にセットされたときは第２の突起３２が第１の切り欠き３５を通過できず、キャップ２２が挿入状態にならないので、使用者は誤挿入であることを容易に認知することができる。
【００３８】
また、操作角度が１８０°以上あるということは、閉時の位置まで回転する間に、第２の突起３２が第２の溝３４に設けられた第１の切り欠き３５を通過する。しかし、第２の突起３２の長さＷｂは第１の切り欠き３５の長さＬａより長いので、第２の突起３２と第２の溝３４との係合は第１の切り欠き３５を通過中も確実に保たれ、引っ掛かったりする感触もなく、フィルター２１とフィルターケース２５との水封も保たれる。
【００３９】
また、第１の突起３１と第２の突起３２とが軸方向にずれているために、フィルター２１が挿入されるときに、充分に押し込まれずに手前にずれた状態で、第１の突起３１が第２の溝３４に近い位置で回される可能性が生じる。しかし、手前側の第１の突起３１の厚みＤａが奥側の第２の突起３２より厚く、それに対応する第１の切り欠き３５の幅が第２の切り欠き３６の幅Ｔｂより広く設定されている。すなわち、Ｔｂ＜Ｄａとなるように形成されているので、フィルター２１が手前にずれてセットされても、第１の突起３１が第２の溝３４に入らず、中途半端な挿入状態からは回転できないので、使用者は誤挿入であることを容易に認知することができる。
【００４０】
図３（ａ）において、排水弁１３３は排水管路１３９の中で、フィルターケース２５に取り付けが楽な排水出口２９の手前に配置されている。そのため、洗い工程とすすぎ工程中は排水弁１３３が閉じて、フィルター２１は洗濯液で満たされている状態にあるが、パッキン３０で水封されているために洗濯液が機外に水漏れすることはない。しかし、使用者が間違って洗い工程中やすすぎ工程中にパネル３７を開いて、つまみ２４を出し入れ時の方向、つまり開方向に捻った時、操作角度が９０°程度と小さいと一捻りの動作でフィルター２１がフィルターケース２５から抜けてしまう可能性がある。当然、リードスイッチがＯＦＦ動作して洗濯乾燥機１００の運転は停止状態にはなるが、洗濯液が機外へ漏れることは防げない。
【００４１】
そこで、回転角度θを大きくして、操作角度が１８０°以上３６０°未満となるように止め部３８、３９が構成される。このように構成されれば、一捻りの動作で回転する角度は一般に１８０°より少ないので、開方向に一捻りしても突起と溝との係合が保たれたままにできる。また、操作角度として、３６０°はフィルター２１の出し入れの位置に戻るので含まれない。つまり、パッキン３０によって水封が保たれたまま、リードスイッチをＯＦＦ動作させて洗濯乾燥機１００の運転が停止状態となり、洗濯液が機外に漏れることが防止される。なお、操作角度を１８０°以上にすることで発生するフィルター誤挿入の課題は、上述したような突起と溝の構成で解決することができる。
【００４２】
また、洗濯液を加熱して洗浄する機能を有する洗濯乾燥機において、使用者が、排水経路が洗濯液で満たされた洗い工程中に間違えてフィルター２１を外そうとしても、一捻りの動作ではフィルター２１がフィルターケース２５から抜けることはないので、高温の洗濯液が飛び出して使用者に掛かってしまうことを防止することができる。
【００４３】
なお、こうした使用者が間違えてフィルターを引き抜いてしまうような水漏れ防止のための対策は、フィルター２１が洗濯液で満たされている洗い工程中やすすぎ工程中は、つまみ２４に触れることができないようにパネル３７が開かないように構成したり、キャップ２２が回転しないようなロック装置を配備したりする方法があるが、部品点数が増えてコストもかかる。しかしながら、本実施の形態１によれば、水漏れ防止のための対策を上述したような突起と溝の簡単な構成で安価に実現した洗濯乾燥機を提供することができる。
【産業上の利用可能性】
【００４４】
以上のように、本発明にかかる洗濯機は、フィルターのキャップの誤挿入防止が図れ、フィルターがフィルターケースから容易に抜けてしまわないようにして、排水経路が洗濯水で満たされた洗い工程中に間違えてフィルターを外そうとした時の水漏れ防止を図ることができるもので、フィルターを介して洗濯液を循環させるものであれば、ドラム式や縦型の家庭用洗濯機洗濯機、及び業務用の洗濯機等に適用することができる。
【符号の説明】
【００４５】
２１  フィルター
２２  キャップ
２５  フィルターケース
２６  円筒部
３０  パッキン
３１  第１の突起
３２  第２の突起
３３  第１の溝
３４  第２の溝
３５  第１の切り欠き
３６  第２の切り欠き
１３４  第１管路
１３５  排水制御ユニット
１３９  排水管路
【図１】
2015053948.tif 000003
【図２】
2015053948.tif 000004
【図３】
2015053948.tif 000005
【図４】
2015053948.tif 000006
【図５】
2015053948.tif 000007
【図６】
2015053948.tif 000008
【図７】
2015053948.tif 000009
【図８】
2015053948.tif 000010